(57)【要約】【課題】従来の換気装置において、フィルターの交換時期の目安が使用環境によって異なるにも関わらず、運転時間によって一括で交換時期を設定しているため、フィルターを効率的に使用できないという課題を有していた。【解決手段】筐体２に吸込口８と吐出口９を設け、屋外の空気を室内に取り入れるための送風機３を備えた換気装置であって、前記吸込口側に外気を清浄する前記空気清浄フィルター４を備え、この空気清浄フィルター４は、筐体内部に対向して備えたレール５にスライド収納され、空気清浄フィルター４よりも吐出口９側に粉塵センサー６を備え、この粉塵センサー６は空気清浄フィルター４で粉塵を除去した後の粉塵量を検出し、粉塵センサー６で計測した粉塵量を任意時間毎に記録、平均する制御部７を設け、この制御部７は、粉塵センサー６で計測した粉塵量が所定の値に達したことを通知する。【選択図】図１
2015190688.tif 000002
【特許請求の範囲】
【請求項１】
筐体に吸込口と吐出口を設け、
屋外の空気を室内に取り入れるための送風機を備えた換気装置であって、
前記吸込口側に外気を清浄する空気清浄フィルターを備え、
この空気清浄フィルターは、筐体内部に対向して備えたレールにスライド収納され、
前記空気清浄フィルターよりも前記吐出口側に粉塵センサーを備え、
この粉塵センサーは前記空気清浄フィルターで粉塵を除去した後の粉塵量を検出し、
前記粉塵センサーで計測した粉塵量を任意時間毎に記録、平均する制御部を設け、
この制御部は、前記粉塵センサーで計測した粉塵量が所定の値に達したことを通知する換気装置。
【請求項２】
筐体に吸込口と吐出口を設け、
屋外の空気を室内に取り入れるための送風機を備えた換気装置であって、
前記吸込口側に外気を清浄する空気清浄フィルターを備え、
この空気清浄フィルターは、前記筐体内部に対向して備えたレールにスライド収納され、前記吸込口と前記空気清浄フィルターの間に吸込口側粉塵センサーを備え、
前記吐出口側に、前記空気清浄フィルターで粉塵を除去した後の粉塵量を検出する吐出口側粉塵センサーを備え、
前記吸込口側粉塵センサーと前記吐出口側粉塵センサーとで計測したそれぞれの粉塵量を任意時間毎に記録、平均する制御部を設け、
前記制御部は、前記吸込口側粉塵センサーと前記吐出口側粉塵センサーで計測した粉塵量の差が所定の値に達したことを通知する換気装置。
【発明の詳細な説明】
【技術分野】
【０００１】
本発明は、外気を清浄するフィルターの適切な交換時期を通知する機能を備えた換気装置に関するものである。
【背景技術】
【０００２】
従来、空気清浄用フィルターを有する空気調和機において、空気調和機の動作時間を積算する動作時間積算手段と、動作時間積算手段による積算時間が所定時間に達したか否かを判別する第１判段手段と、積算時間が所定時間に達したことを示す第１判段手段の判別結果に応答して不揮発性メモリに、所定時間が経過したことを示すデータを書き込む書き込み手段と、上記判別結果に応答して動作時間積算手段の内容をリセットするリセット手段と、不揮発性メモリの内容が所定の値に達したか否かを判別する第２判別手段と、不揮発性メモリの内容が所定値に達したことを示す第２判別手段の判別結果に応答してフィルター使用限界時期が到達したことを報知する報知手段を具備することを特徴とする空気調和機におけるフィルター使用限界時期検出装置が知られている。
【先行技術文献】
【特許文献】
【０００３】
【特許文献１】実開昭６３−７３１２７号公報
【発明の概要】
【発明が解決しようとする課題】
【０００４】
このような従来の換気装置においては、フィルターの交換時期の目安が使用環境によって異なるにも関わらず、運転時間によって一括で交換時期を設定しているため、フィルターを効率的に使用できないという課題を有していた。
【０００５】
そこで本発明は、上記従来の課題を解決するものであり、粉塵センサーを利用してフィルターの汚れを定量的に測定し、適切なフィルター交換時期を判断することを目的とする。
【課題を解決するための手段】
【０００６】
そして、この目的を達成するために、本発明は、筐体に吸込口と吐出口を設け、屋外の空気を室内に取り入れるための送風機を備えた換気装置であって、前記吸込口側に外気を清浄する空気清浄フィルターを備え、この空気清浄フィルターは、筐体内部に対向して備えたレールにスライド収納され、前記空気清浄フィルターよりも前記吐出口側に粉塵センサーを備え、この粉塵センサーは前記空気清浄フィルターで粉塵を除去した後の粉塵量を検出し、前記粉塵センサーで計測した粉塵量を任意時間毎に記録、平均する制御部を設け、この制御部は、前記粉塵センサーで計測した粉塵量が所定の値に達したことを通知するものであり、これにより所期の目的を達成するものである。
【発明の効果】
【０００７】
本発明によれば、筐体に吸込口と吐出口を設け、筐体に吸込口と吐出口を設け、屋外の空気を室内に取り入れるための送風機を備えた換気装置であって、前記吸込口側に外気を清浄する空気清浄フィルターを備え、この空気清浄フィルターは、筐体内部に対向して備えたレールにスライド収納され、前記空気清浄フィルターよりも前記吐出口側に粉塵センサーを備え、この粉塵センサーは前記空気清浄フィルターで粉塵を除去した後の粉塵量を検出し、前記粉塵センサーで計測した粉塵量を任意時間毎に記録、平均する制御部を設け、この制御部は、前記粉塵センサーで計測した粉塵量が所定の値に達したことを通知する
機能を持った換気装置により、フィルターの交換時期を定量的に判断でき、使用環境によって異なるフィルター寿命に柔軟に対応することができる。また、設定する値によっては、フィルター交換時期を事前に認識できるため、交換の際にストックがない等のロスが少なくなり、断続的な運転ができる。
【図面の簡単な説明】
【０００８】
【図１】本発明の実施の形態１の換気装置を示す概略平面図
【図２】本発明の実施の形態２の換気装置を示す概略平面図
【発明を実施するための形態】
【０００９】
本発明の請求項１記載の換気装置は、筐体に吸込口と吐出口を設け、屋外の空気を室内に取り入れるための送風機を備えた換気装置であって、前記吸込口側に外気を清浄する空気清浄フィルターを備え、この空気清浄フィルターは、筐体内部に対向して備えたレールにスライド収納され、前記空気清浄フィルターよりも前記吐出口側に粉塵センサーを備え、この粉塵センサーは前記空気清浄フィルターで粉塵を除去した後の粉塵量を検出し、前記粉塵センサーで計測した粉塵量を任意時間毎に記録、平均する制御部を設け、この制御部は、前記粉塵センサーで計測した粉塵量が所定の値に達したことを通知する機能を有する。これにより、室内に給気される空気中の粉塵量が所定の値に達したことを認識できるため、フィルターの交換時期を定量的に判断し、使用環境によって異なるフィルター寿命に柔軟に対応できる。また、設定する値によっては、フィルター交換時期を事前に認識できるため、交換の際にストックがない等のロスが少なくなり、断続的な運転ができる。
【００１０】
また、本発明の請求項２記載の換気装置は、筐体に吸込口と吐出口を設け、屋外の空気を室内に取り入れるための送風機を備えた換気装置であって、前記吸込口側に外気を清浄する空気清浄フィルターを備え、この空気清浄フィルターは、前記筐体内部に対向して備えたレールにスライド収納され、前記吸込口と前記空気清浄フィルターの間に吸込口側粉塵センサーを備え、前記吐出口側に、前記空気清浄フィルターで粉塵を除去した後の粉塵量を検出する吐出口側粉塵センサーを備え、前記吸込口側粉塵センサーと前記吐出口側粉塵センサーとで計測したそれぞれの粉塵量を任意時間毎に記録、平均する制御部を設け、前記制御部は、前記吸込口側粉塵センサーと前記吐出口側粉塵センサーで計測した粉塵量の差が所定の値に達したことを通知する機能を有する。これにより、屋外の空気と室内に給気される空気中の粉塵量の差が所定の値に達したことを認識できるため、フィルターの交換時期を適切に判断し、使用環境によって異なるフィルター寿命に高精度に対応できる。また、設定する値によっては、フィルター交換時期を事前に認識できるため、交換の際にストックがない等のロスが少なくなり、断続的な運転ができる。
【００１１】
以下、本発明の実施の形態について図面を参照しながら説明する。
【００１２】
（実施の形態１）
図１に示すように、実施の形態による換気装置１は、筐体２の側面に吸込口８と吐出口９が設けられている。また、筐体２に取り付けられる形で制御部７が設けられている。筐体内部には、送風機３を備え、それより吸込口８側に空気清浄フィルター４と、それをスライド収納するためのレール５が設けられている。筐体２の側面であって、レール５の延長上には、空気清浄フィルター４を出し入れするためのメンテナンス口１０が設けられている。また、筐体２の吐出口９側には、粉塵センサー６が設けられている。
【００１３】
送風機３は、屋外の空気を吸込口８から筐体２に取り入れ、吐出口９から室内へ給気するものである。空気清浄フィルター４は、筐体２のメンテナンス口１０からレール５の上をスライドして設置され、送風機３によって筐体内に取り入れられる空気中の粉塵を取り除く。粉塵センサー６は、空気清浄フィルター４で粉塵を除去した後の空気中の粉塵量を
検出する。
【００１４】
前述したように、空気清浄フィルター４は、レール５によってスライド収納する構造となっている。すなわち、空気清浄フィルター４とレール５の間には、「遊び」となる多少の隙間が存在する。
【００１５】
このような構造において、空気清浄フィルター４に粉塵が堆積して目詰まりを起こすと、空気清浄フィルター４の圧力損失が上昇する。空気清浄フィルター４の圧力損失が上昇すると、粉塵を含んだ空気が空気清浄フィルター４を通り難くなり、空気が空気清浄フィルター４とレール５の隙間に流れ込む。よって、粉塵センサー６は、漏れて通過した粉塵をキャッチして、計測される粉塵量は高い値を示すことになる。
【００１６】
一方、空気清浄フィルター４の交換時期を示す交換閾値、すなわち「空気清浄フィルター４の周囲から漏れてくる粉塵量」の値は、予め試験で測定して求め、制御部７に記憶させておく。
【００１７】
次に、制御部７の動作について説明する。
【００１８】
制御部７は、粉塵センサー６で計測した粉塵量を入力し、その粉塵量計測値の瞬時的な値のバラつきを抑えるために任意時間毎に平均化する。任意時間の間の計測値を平均化するにあたり、この任意時間とは、大気中の粉塵量をある程度正確に反映されるような時間を設定する。そして、得られた粉塵量平均値と記憶された交換閾値とを比較し、粉塵量平均値がこの交換閾値に達した、あるいは、交換閾値を超えたときにそれを通知する。
【００１９】
このように、制御部７が、粉塵センサー６が計測した粉塵量と記憶された交換閾値を比較して、交換時期に達したことを通知するので、空気清浄フィルター４の交換時期を適切に判断することができる。また、交換閾値を小さめに設定しておけば、空気清浄フィルター４の交換時期を事前に認識できるため、交換の際にストックがない等のロスが少なくなり、断続的な運転ができる。
【００２０】
（実施の形態２）
図２に示すように、実施の形態による換気装置１は、筐体２の側面に吸込口８と吐出口９が設けられている。また、筐体２に取り付けられる形で制御部７が設けられている。筐体２の内部には、送風機３を備え、それより吸込口８側に空気清浄フィルター４と、それをスライド収納するためのレール５が設けられている。筐体２の側面であって、レール５の延長上には、空気清浄フィルター４を出し入れするためのメンテナンス口１０が設けられている。また、空気清浄フィルター４よりさらに吸込口８側に吸込口側粉塵センサー１１を備え、筐体２の吐出口９側にも、吐出口側粉塵センサー１２を備えている。
【００２１】
送風機３は、屋外の空気を吸込口８から筐体２に取り入れ、吐出口９から室内へ給気するものである。吸込口側粉塵センサー１１は、送風機３によって筐体２内に取り入れられる空気中の粉塵量を検出する。空気清浄フィルター４は、筐体２のメンテナンス口１０からレール５の上をスライドして設置され、吸込口側粉塵センサー１１を通過後の空気中の粉塵を取り除く。吐出口側粉塵センサー１２は、空気清浄フィルター４で粉塵を除去した後の空気中の粉塵量を検出する。
【００２２】
実施の形態１と同様、空気清浄フィルター４は、レール５によってスライド収納する構造となっている。すなわち、空気清浄フィルター４とレール５の間には「遊び」となる多少の隙間が存在する。このような構造において、空気清浄フィルター４に粉塵が堆積して目詰まりを起こすと、空気清浄フィルター４の圧力損失が上昇する。空気清浄フィルター
４の圧力損失が上昇すると、粉塵を含んだ空気が空気清浄フィルター４を通り難くなり、空気が空気清浄フィルター４とレール５の隙間に流れ込む。よって、吐出口側粉塵センサー１２は、漏れて通過した粉塵をキャッチするので、計測される粉塵量は、（空気清浄フィルター４に粉塵が堆積して目詰まりを起こすに従って）吸込口側粉塵センサー１１で計測される粉塵量と近い値を示すことになる。
【００２３】
次に、制御部７の動作について説明する。
【００２４】
制御部７は、吸込口側粉塵センサー１１及び吐出口側粉塵センサー１２で計測した粉塵量を入力し、それぞれの粉塵量計測値の瞬時的な値のバラつきを抑えるために任意時間毎に平均化する。任意時間の間の計測値を平均化するにあたり、この任意時間とは、大気中の粉塵量をある程度正確に反映されるような時間を設定する。そして、得られた吸込口側粉塵センサー１１及び吐出口側粉塵センサー１２で計測したそれぞれの粉塵量平均値の差を計算し、その値がゼロあるいはほとんどゼロに達したときにそれを通知する。
【００２５】
このように、制御部７が吸込口側粉塵センサー１１及び吐出口側粉塵センサー１２で計測した粉塵量を比較して、交換時期に達したことを通知するので、空気清浄フィルター４の交換時期を適切に判断することができる。また、フィルターの交換時期を示す値を予め試験で測定することで、設定する値によって、フィルター交換時期を事前に認識できるため、交換の際にストックがない等のロスが少なくなり、断続的な運転ができる。
【００２６】
本実施の形態においては、空気清浄フィルター４で粉塵を捕集できずにほとんど通過する状態になったときに通知するようにしたが、他の形態でもよい。例えば、吐出口側粉塵センサー１２における計測値を吸込口側粉塵センサー１１における計測値で除算した値、すなわち、通過率が所定の値を超えた場合に通知するという構成でもよい。
【産業上の利用可能性】
【００２７】
本発明は、屋外の空気を取り入れるあらゆる換気装置に適用できる。
【符号の説明】
【００２８】
１  換気装置
２  筐体
３  送風機
４  空気清浄フィルター
５  レール
６  粉塵センサー
７  制御部
８  吸込口
９  吐出口
１０  メンテナンス口
１１  吸込口側粉塵センサー
１２  吐出口側粉塵センサー
【図１】
2015190688.tif 000003
【図２】
2015190688.tif 000004